(57)【要約】      （修正有）【課題】施工現場において幅木本体に幅木前壁を係止する必要がなく容易に幅木の建物への組付け作業を行えるとともに、低コストで製造できる幅木を提供する。【解決手段】幅木本体２と、幅木前壁３とを備える。幅木本体２は、壁パネルとしての石膏ボード１０３の下端を下方側から受けるパネル受け部２２と、固定部材１０５と連結する固定部材連結部とを備えている。幅木前壁３は、幅木本体２と一体的に形成されている。【選択図】図６
0003176464.tif 000002
【実用新案登録請求の範囲】
【請求項１】
建物内におけるパネル保持部材に保持された壁パネルの下端と床との境界部に配設される幅木であって、
前記床に載置されるようにして配置される幅木本体と、前記幅木本体を前方側から覆うように配設された幅木前壁とを備え、
前記幅木本体は、前記壁パネルの下端を下方側から受けるパネル受け部と、前記パネル保持部材に前記幅木本体を固定するための固定部材と連結する固定部材連結部とを備え、
前記幅木前壁は、前記幅木本体と一体的に形成されていることを特徴とする幅木。
【請求項２】
前記固定部材は、外周にねじ部を有する軸部と、頭部とを備え、
前記固定部材連結部は、前記パネル受け部の下方側に、前記パネル受け部に受けられた前記壁パネルの下端と前記固定部材連結部とによってそれらの間に前記頭部を受容しうる頭部受容凹部を区画形成するように配設されていることを特徴とする請求項１記載の幅木。
【請求項３】
前記固定部材連結部は、その上面が前方側に行くに従って漸次高さが低くなる傾斜面に形成されていることを特徴とする請求項１又は２記載の幅木。
【請求項４】
前記壁パネルは、石膏ボードであり、
前記パネル保持部材は、前記壁パネルを保持した柱部材であり、
前記固定部材は、ドリルねじであり、
前記固定部材連結部は、所定幅の長尺板状体から構成されているとともに、幅方向のほぼ中央に長手方向に沿って延ばされた断面Ｖ字状のＶ溝を備えていることを特徴とする請求項１〜３の何れか一項に記載の幅木。
【考案の詳細な説明】
【技術分野】
【０００１】
本考案は、住宅やオフィス等の建物内におけるパネル保持部材に保持された壁パネルの下端と床との境界部に配設される幅木に関するものである。
【背景技術】
【０００２】
従来から、住宅やオフィス等の建物内におけるパネル保持部材に保持された壁パネルの下端と床との境界部に配設される幅木は、広く知られている。例えば幅木に関するものとして、特許文献１に、住宅やオフィス等の建物の内装の壁・床際構造が開示されている。
【０００３】
この内装の壁・床際構造は、パネル保持部材に保持された壁パネルの下端部を収容する壁パネル差し込み部を有しパネル保持部材にする固定される幅木本体（特許文献１では受け材）と、幅木本体とは別体に形成された幅木前壁（特許文献１では幅木）とを備えている。そして、幅木本体の壁パネル差し込み部に壁パネルの下端部を収容した状態で、その幅木本体の前面側から固定部材としての固定ボルトをパネル保持部材にねじ込むようにしてパネル保持部材を幅木本体の前面に連結することによって幅木本体とパネル保持部材とを固定する。その後、幅木前壁を、幅木本体に係止して垂下するようにして幅木本体の前部を隠すようにし、これにより、固定ボルトの頭部が見えないようにしている。
【先行技術文献】
【特許文献】
【０００４】
【特許文献１】特開平１１−２１０１３３号公報
【考案の概要】
【考案が解決しようとする課題】
【０００５】
しかしながら、上記特許文献１に記載のものにおいては、幅木本体と幅木前壁との２つの部材で構成しているため、施工現場において、幅木本体に幅木前壁を係止しなければならず、幅木の組付け作業が面倒である。又、幅木本体と幅木前壁とを別途に形成しなければならず、製造コストが高くついているという問題点がある。
【０００６】
本考案は、施工現場において幅木本体に幅木前壁を係止する必要がなく容易に幅木の建物への組付け作業を行えるとともに、低コストで製造できる幅木の提供を目的とする。
【課題を解決するための手段】
【０００７】
上記課題を解決するため、請求項１の考案は、建物内におけるパネル保持部材に保持された壁パネルの下端と床との境界部に配設される幅木であって、前記床に載置されるようにして配置される幅木本体と、前記幅木本体を前方側から覆うように配設された幅木前壁とを備え、前記幅木本体は、前記壁パネルの下端を下方側から受けるパネル受け部と、前記パネル保持部材に前記幅木本体を固定するための固定部材と連結する固定部材連結部とを備え、前記幅木前壁は、前記幅木本体と一体的に形成されていることを特徴とする幅木を提供する。
【０００８】
請求項２の考案は、請求項１に係る幅木において、前記固定部材は、外周にねじ部を有する軸部と、頭部とを備え、前記固定部材連結部は、前記パネル受け部の下方側に、前記パネル受け部に受けられた前記壁パネルの下端と前記固定部材連結部とによってそれらの間に前記頭部を受容しうる頭部受容凹部を区画形成するように配設されていることを特徴とする。
【０００９】
請求項３の考案は、請求項１又は２に係る幅木において、前記固定部材連結部は、その上面が前方側に行くに従って漸次高さが低くなる傾斜面に形成されていることを特徴とする。
【００１０】
請求項４の考案は、請求項１〜３の何れかに係る幅木において、前記壁パネルは、石膏ボードであり、前記パネル保持部材は、前記壁パネルを保持した柱部材であり、前記固定部材は、ドリルねじであり、前記固定部材連結部は、所定幅の長尺板状体から構成されているとともに、幅方向のほぼ中央に長手方向に沿って延ばされた断面Ｖ字状のＶ溝を備えていることを特徴とする。
【考案の効果】
【００１１】
本考案の請求項１によれば、幅木前壁は幅木本体と一体的に形成されているため、施工現場において、従来のように幅木本体に幅木前壁を係止する必要がなく容易に幅木の建物への組付け作業を行える。又、幅木を、低コストで製造できる。
【００１２】
請求項２によれば、固定部材の頭部を頭部受容凹部に受容した状態で壁パネルの下端をパネル受け部に受ければ、固定部材の頭部を外部から見えないようにできる。従って、従来のように固定部材の頭部を隠すために幅木本体と幅木前壁とを別途に形成する必要のないものにできる。
【００１３】
請求項３によれば、固定部材連結部は、その上面が前方側に行くに従って漸次高さが低くなる傾斜面に形成されているため、固定部材を斜め上前方側から斜め下後方側にねじ込むことができる。従って、固定部材をねじ込む作業を容易に行うことができる。
【００１４】
請求項４によれば、幅木を柱部材にドリルねじからなる固定部材によって固定する場合に、例えば作業現場において、幅木の端部をカットして全長の長さ調整をし、幅木における柱部材に対応した箇所にねじ下穴等を加工しつつ連結できる。又、その際、柱部材に対応した位置におけるＶ溝に固定部材の先端を位置合わせして行えばよく、ドリルねじからなる固定部材によるねじ下穴等の加工を容易に行うことができる。
【図面の簡単な説明】
【００１５】
【図１】本考案の一実施の形態の幅木の一部を省略した正面図である。
【図２】図１の幅木の一部を省略した平面図である。
【図３】図１の幅木の一部を省略した底面図である。
【図４】図１の幅木の拡大した右側面図である。
【図５】幅木を配設した建物の要部の一部を断面にした斜視図である。
【図６】幅木を配設した建物の要部の拡大断面図である。
【考案を実施するための形態】
【００１６】
以下、本考案を実施するための形態について、図面を参照しながら詳細に説明する。図１は、本考案の一実施の形態の幅木の一部を省略した正面図、図２は、図１の幅木の一部を省略した平面図、図３は、図１の幅木の一部を省略した底面図、図４は、図１の幅木の拡大した右側面図である。
【００１７】
この実施形態の幅木１は、金属製の長尺状のものから構成されている。より詳しくは、この実施形態の幅木１は、アルミニウム製で、所定の幅で全長Ｌが４０００ｍｍ程度の長尺状のものから構成されている。
【００１８】
この幅木１は、幅木本体２と、幅木前壁３とを備えている。幅木本体２は、その下端に、全長にわたって、建物１００の内部の床１０１（図５、図６参照）に載置される床載置部２１を備えている。
【００１９】
又、幅木本体２は、その上端に、全長にわたって、建物１００の内部における柱部材（パネル保持部材、図５、図６参照）１０２に保持された石膏ボード（壁パネル）１０３を下方側から受けるパネル受け部２２と、パネル受け部２２の下方側に形成された固定部材連結部２３とを備えている。
【００２０】
パネル受け部２２は、石膏ボード１０３の下端の前部を受けるパネル前受け部２２ａと、パネル前受け部２２ａから所定の距離を隔てた後方側に、石膏ボード１０３の下端の後部を受けるパネル後受け部２２ｂとを備えている。
【００２１】
固定部材連結部２３は、図４に示すように所定の前後幅で、幅木本体２の全長にわたって形成され板厚ｔが２ｍｍ程度の長尺板状体から構成されている。そして、この固定部材連結部２３は、図６に示すようにパネル前受け部２２ａ及びパネル後受け部２２ｂに受けられた石膏ボード１０３の下端とこの固定部材連結部２３とによってそれらの間に、後述の固定部材１０５の頭部１０６を受容しうる頭部受容凹部２４を区画形成するように配設されている。
【００２２】
又、この固定部材連結部２３の上面２３ａは、幅方向に沿う前後方向における前方側に行くに従って漸次高さが低くなる前下がりの傾斜面から構成されている。又、この固定部材連結部２３の上面２３ａには、略前後中央に長手方向に沿って幅木本体２の全長にわたって延ばされた断面Ｖ字状のＶ溝２３ｂが形成されている。
【００２３】
このＶ溝２３ｂは、固定部材１０５によるねじ下穴加工等を容易にするためのもので、固定部材連結部２３の上面２３ａからの深さＷが１ｍｍ程度に形成されている。
【００２４】
そして、この固定部材連結部２３は、柱部材１０２に幅木本体２を固定するための固定部材１０５と連結する。ここで、この実施形態で用いる固定部材１０５について説明する。
【００２５】
固定部材１０５は、図６に示すようにドリルねじから構成されており、頭部１０６と、軸部１０７とを備えている。頭部１０６は、工具と係脱自在に係合する工具係合部１０６ａを備えている。
【００２６】
軸部１０７は、ねじ部１０７ａと、ねじ部１０７ａの先端側に設けられたドリル部１０７ｂとを備えている。そして、ドリル部１０７ｂがねじ下穴を明け、そのねじ下穴にねじ部１０７ａがねじ込まれていくようになっている。
【００２７】
幅木前壁３は、図４に示すように幅木本体２と一体成形され、幅木本体２を前方側から覆うように配設されている。
【００２８】
このように構成された幅木１は、図５、図６に示すように、例えば建物１００の部屋の寸法（部屋に配設する石膏ボード１０３の幅）に応じて、施工現場において、端部がカットされて長さ調整される。
【００２９】
そして、幅木１の幅木本体２の後面を建物１００の柱部材１０２に当てるようにして、床載置部２１を床１０１（この実施形態では、合板１０１ａ上にフローリング１０１ｂを並べたもの）に載置する。
【００３０】
そして、その状態で、幅木１を固定部材１０５を介して柱部材１０２に固定する。尚、柱部材１０２は、建物１００の部屋等によって配設されている本数が異なるが、通常、１つの壁面に複数、配設されている。
【００３１】
詳しくは、例えば各柱部材１０２に対応する固定部材連結部２３の位置におけるＶ溝２３ｂ（図４参照）に、固定部材１０５のドリル部１０７ｂの先端を位置合わせするようにして、固定部材連結部２３にねじ下穴加工等を施すとともに、柱部材１０２にねじ下穴加工を施しながら柱部材１０２に固定部材１０５をねじ込む。
【００３２】
その際、固定部材１０５のドリル部１０７ｂの先端をＶ溝２３ｂに位置合わせするため、ドリル部１０７ｂの先端が逃げを起こすことがなく、又、Ｖ溝２３ｂによって固定部材連結部２３の板厚ｔが部分的に薄く（この実施形態では、１ｍｍ程度）なっているため、ドリル部１０７ｂで容易にねじ下穴加工を施すことができる。しかも、固定部材連結部２３の上面２３ａが前下がりの傾斜面に形成されているため、固定部材１０５を固定部材連結部２３の前方側から斜め下方向に向けてねじ込めるため、固定部材１０５をねじ込む作業を容易に行うことができる。
【００３３】
そして、固定部材１０５のねじ部１０７ａが柱部材１０２にねじ込まれていくと、図６に示すように固定部材１０５の頭部１０６が固定部材連結部２３に当接する。これにより、固定部材１０５と固定部材連結部２３とが連結し、この状態で、固定部材１０５を介して幅木１が柱部材１０２に固定される。
【００３４】
次に、柱部材１０２に固定した幅木１におけるパネル受け部２２に、石膏ボード１０３の下端を置くようにして、パネル受け部２２に石膏ボード１０３を受けさせる。この受けた状態で、石膏ボード１０３の下端と固定部材連結部２３とによって、その間に、頭部受容凹部２４が区画形成されるとともに、その頭部受容凹部２４に固定部材１０５の頭部１０６が受容されて頭部１０６が外部から見えないように隠される。
【００３５】
そして、その状態で、石膏ボード１０３が柱部材１０２に図示しないボード固定用釘を用いて固定的に保持される。
【００３６】
以上のように構成された本考案の幅木１においては、石膏ボード１０３の下端をパネル受け部２２に受ければ、固定部材１０５の頭部１０６を外部から見えないようにできる。従って、従来のように固定部材１０５の頭部１０６を隠すために幅木本体と幅木前壁とを別途に形成する必要のないものにできる。
【００３７】
又、幅木前壁と幅木本体とを一体的に形成しているため、施工現場において、従来のように幅木本体に幅木前壁を係止する必要がなく容易に幅木の建物への組付け作業を行える。又、幅木を、低コストで製造できる。
【００３８】
尚、上記実施形態では、固定部材１０５はドリルねじから構成されたが、この形態のものに限らず、適宜変更できる。例えば固定部材１０５のねじ部にドリル部を有しないものから構成し、固定部材連結部２３にねじ挿通孔を設けたものでも良い。ただし、この場合は、施工現場において、ねじ挿通孔と柱部材との位置が合わないことも起こり得るため、上記実施形態のようにドリルねじからなる固定部材１０５を用い、施工現場において、柱部材の位置に対応して固定部材１０５を配設するのが好ましい。
【００３９】
又、上記実施形態では、壁パネルは石膏ボードから構成されたが、この形態のものに限らず、適宜変更できる。
【００４０】
又、上記実施形態では、パネル保持部材は柱部材から構成されたが、この形態のものに限らず、例えばパネル保持部材は合板等から構成されたものであってもよく、適宜変更し得る。
【符号の説明】
【００４１】
１    幅木
２    幅木本体
３    幅木前壁
２２    パネル受け部
２３    固定部材連結部
２３ａ    Ｖ溝
１０２    柱部材（パネル保持部材）
１０３    石膏ボード（壁パネル）
１０５    固定部材
【図１】
0003176464.tif 000003
【図２】
0003176464.tif 000004
【図３】
0003176464.tif 000005
【図４】
0003176464.tif 000006
【図５】
0003176464.tif 000007
【図６】
0003176464.tif 000008